(57)【要約】  本発明は、携帯電話本体用カバーに関するものであり、特にカバーと携帯電話本体との密着度を向上させ、外部からホコリや異質物が侵入できないように配慮すると同時にカバーを頻繁に着脱することによって携帯電話本体に様々な傷が発生しないように提供する改善した機能のカバーに関するものである。これのために本発明は、携帯電話の形状に対応するように射出整形され、携帯電話本体に着脱する硬質のカバーにおいて、前記カバーの枠にやわらかい軟性のラバーからなる密着型枠を備え、カバー枠と一体化させることを特徴とする。
2013534123.tif 000002
【特許請求の範囲】
【請求項１】
携帯電話の形状に対応するように射出整形され、携帯電話本体に着脱する硬質のカバーにおいて、前記カバーの枠にやわらかい軟性のラバーからなる密着型枠を備え、カバー枠と一体化させることを特徴とする携帯電話本体用カバー。
【発明の詳細な説明】
【技術分野】
【０００１】
本発明は携帯電話本体用カバーに関するものである。
【０００２】
特に本発明は、カバーと携帯電話本体との密着度を向上させ、外部からホコリや異質物が侵入できないように配慮すると共に頻繁に着脱するカバーにより携帯電話本体に様々な傷が発生じないように提供する改善した機能を有するカバーに関するものである。
【背景技術】
【０００３】
移動通信手段の発達につれ、現代人の必需品として位置づけられている携帯電話は目に見えて高級化された仕様で市場に出されているのが現状である。
【０００４】
また機能が多様なだけ、そのデザインも発展され、自分だけのユニークさを追求する携帯電話のユーザの欲求も満足させている。
【０００５】
しかし、携帯電話端末機の製造過程とその購入費用を考慮すると、現実的にはユーザが自分だけの個性を表現するために常に新たなデザインと機能を有する携帯電話端末機を要求したり、購入したりすることはできないため、最近では既存の携帯電話に多様なアクセサリーを付けて変化を与えることが一般的な傾向である。
【０００６】
特に携帯電話を使用するユーザの触感向上と外部からの衝撃や異質物の侵入から携帯電話を安全に保護することを目的として、革または繊維材質で携帯電話機の外形と同様に製作したカバーを付けたりあるいは軽軟質の透明あるいは不透明の合成樹脂で射出整形されたカバーを備えて取り付けることは、ユーザが最も経済的かつ手軽に自身の携帯電話に変化をあたえる方法であるため、脚光を浴びている。
【０００７】
このような携帯電話の一般的なカバーの機能と関しては（特に硬質の合成樹脂製透明カバー）大韓民国特許出願第２００３−４２２８号で提案された「携帯用電話機ケース」を参照することができる。
【０００８】
本発明は、前記の携帯電話アクセサリーにおいて合成樹脂で射出整形されたカバーに関するものであり、構造的変化とそれにともなう機能的改善にその主な焦点をおいている。
【０００９】
携帯電話機用カバーは、比較的安い製作費用で提供され、幅広いユーザ層を確保できるという点からその有用性が大きいが、これに対し、ユーザの立場から改善されるべき点として幾つか指摘されている。
【００１０】
最初の問題点は、合成樹脂カバーの材質と取り付け方式の限界によりカバーの枠が携帯電話本体に確実に密着されず、その隙間に外部からのホコリや異質物が侵入し、長時間使用していると、むしろ、カバーを付けずに使用していたときよりも携帯電話の外観がさらに傷つけられている場合があることである。
【００１１】
次の問題点としては、カバーを頻繁に着脱することによりカバーの材質と鋭い枠および突起が原因となり、携帯電話本体に細かい傷が発生して外観を傷つける恐れも高いという点である。
【発明の概要】
【発明が解決しようとする課題】
【００１２】
したがって、本発明はこのような諸般の問題点を解決するために考案されたものであり、カバーの枠は別途の突起構造を備える必要なく、そのまま携帯電話本体をやわらかく包み密着できるようにし、ホコリや異質物の侵入を抜本的に遮断することと共に着脱する作業もスムーズかつやわらかく行われるようにし、傷の発生を未然に防止することを本発明の技術的課題とする。
【課題を解決するための手段】
【００１３】
前記の目的を達成するために本発明は、携帯電話の形状に対応するように透明または不透明の合成樹脂で射出整形され、携帯電話本体に着脱する硬質のカバーにおいて、前記カバーの枠にやわらかい軟性のラバーからなる密着型の枠を設け、カバー枠と一体で射出整形させた携帯電話本体用カバーを特徴とする。
【発明の効果】
【００１４】
前記のような本発明は、携帯電話本体用カバーが有する短所を比較的簡単な方法と構造で解消することができるため、誰でも簡便に自分の個性を表現しつつ、カバーが有する伝統的な機能以外にも携帯電話を清潔かつ美しい外観を維持できるという点からその有用性を見つけることができる。
【図面の簡単な説明】
【００１５】
【図１】本発明の望ましい実施形態を図示する一部切開斜視図である。
【図２】図１に示す主要部分を拡大して図示する他の例示断面図である。
【発明を実施するための形態】
【００１６】
〔発明の好適な実施形態〕
以下、添付する図面を参照して本発明の構成について詳細に説明する。
【００１７】
添付する図１は、本発明の望ましい実施形態を図示する一部切開斜視図であり、図２は、その主要部分を拡大して図示する他の例示断面図である。
【００１８】
図示するように本発明は、硬質の携帯電話カバー枠に軟性のラバー材質の密着型枠を二重射出あるいは相互間融着や挿入法などの整形作業により一体化した携帯電話本体用カバー１０を提供するものであり、前記携帯電話本体用カバー１０は、図面に図示するバータイプのスマートフォン装着型はもちろん伝統的なスライダーとフォルダ型などに制限されず汎用的に適用され得る。
【００１９】
また本発明は、透明または不透明のカバー１０の構成をいずれも含むものであるため、本発明の特徴はこのようなカバー１０の形態に制限されない。
【００２０】
しかし、本発明のカバー１０は、その提案された構造の特性を考慮すると、最上端の内側枠を除いた残りの部分が硬質の合成樹脂で提供されるべきであることは自明である。
【００２１】
前述したようにカバー１０の形態は携帯電話本体の形状に対応する多様な形態が存在し、本発明はこのように多様な硬質の合成樹脂カバー１０において、前記カバー１０の枠にやわらかい軟性のラバーからなる密着型枠１１を備え、カバー１０枠の最上端を成すように一体で射出整形を行った特徴を有する。
【００２２】
密着型枠１１は、取り付けられる携帯電話本体に密着すると共に携帯電話本体を確実に密着するようにする役割を果たすものであり、内側に向かって延長して折り曲げられた形状を維持しており、必要に応じてカバー１０の枠より多少薄い厚さにする場合、材質の特性と共に流動性を有するやわらかい軟性がより高まる。
【００２３】
添付する図２は、このようなカバー１０の硬質性枠と軟質性密着型枠１１の結合構造を図示する他の例示図であり、二重射出整形や高周波融着あるいは接着剤の塗布または図面に図示するような凹入凹凸部を利用した挿入法などを適切に選択して離脱の恐れのない一体化を実現することができる。
【００２４】
したがって、カバー１０が携帯電話本体に装着する場合、軟性を有する密着型枠１１によって携帯電話本体の外周面を包んで密着し、別途の突起がなくてもその装着作業が簡単にできると共に密着した装着状態を維持することができ、軟性により生じるスキ間なく密着することが可能となり、外部からのホコリや異質物の侵入を遮断することができる特性を有する。
【図１】
2013534123.tif 000003
【図２】
2013534123.tif 000004
【国際調査報告】
2013534123.tif 000005
2013534123.tif 000006
2013534123.tif 000007
2013534123.tif 000008